(57)【要約】【課題】簡単な構成で、メモ用紙、名刺やカード等のシートを容易に差し込み、抜き取ることが可能なシートホルダーを提供する。【解決手段】シートホルダー１は、複数巻回されたコイル状のばね材２により構成されている。前記ばね材２の巻回方向に所定の周期で交互に形成された山部２１及び谷部２２を有している。隣接するコイル部における前記山部２１と谷部２２とが相互に対向して形成される挟持部３及び離間部４とを備えている。挟持部３は、隣接するコイル部が弾性接触する部分であり、離間部４は、隣接するコイル部が離間する部分である。【選択図】図１
0003184614.tif 000002
【実用新案登録請求の範囲】
【請求項１】
複数巻回されたコイル状のばね材により構成されるシートホルダーであって、
前記ばね材の巻回方向に所定の周期で交互に形成された山部及び谷部と、
隣接するコイル部における前記山部と谷部とが相互に対向して形成される挟持部及び離間部と、
を具備することを特徴とするシートホルダー。
【請求項２】
一端側にベース部が形成され、このベース部に対してホルダー部が傾斜して形成されていることを特徴とする請求項１に記載のシートホルダー。
【請求項３】
一端側に取付用の磁石が設けられていることを特徴とする請求項１又は請求項２に記載のシートホルダー。
【請求項４】
コイル状のばね材における一端側のコイル部は平坦状に形成されていることを特徴とする請求項１乃至請求項３のいずれか一に記載のシートホルダー。
【考案の詳細な説明】
【技術分野】
【０００１】
本考案は、メモ用紙、カード及び名刺等のシートを保持できるようにしたシートホルダーに関する。
【背景技術】
【０００２】
従来、メモ用紙、カードや領収書等の紙葉類を保持するため、コイル状のばねにおける線間に紙葉類を挟持するようにしたホルダーが知られている（特許文献１乃至特許文献３参照）。このホルダーは、例えば、コイル状のばねを円弧状に湾曲させて、円弧状の外周側のばねの線間を拡げるとともに円弧状の内周側のばねの線間を密着させたものである。このような構成により、紙葉類を拡がった線間に容易に差し込むことができ、また、密着した線間により保持できる。
【０００３】
しかし、これらの場合、コイル状のばねを円弧状に湾曲させるため、その構成が複雑になりやすく、また、例えば、円弧状の外周側におけるばねの線間の寸法の設定が面倒であり、さらに、線間の寸法が一定にならず、加えて、コイル状のばねに対してその全周の方向から紙葉類の差し込みを行うのが困難であるという課題が生じる。
一方、コイル状の挟着体に対して全周の方向から紙葉類の差し込みを行うことが可能なメモ用クリップが提案されている（特許文献４）。
【先行技術文献】
【特許文献】
【０００４】
【特許文献１】特開２００４−６６７３１号公報
【特許文献２】実開平６−６７０６９号公報
【特許文献３】実用新案登録第３０５４３４３号公報
【特許文献４】実用新案登録第３０５３６７７号公報
【考案の概要】
【考案が解決しようとする課題】
【０００５】
しかしながら、上記メモ用クリップは、把持部を持ち上げて挟着体の側面の線間に隙間を形成し、この隙間にメモ用紙を差し込んだ後に、把持部を離して挟着体の弾性又は自重によってメモ用紙を固定するものである。したがって、メモ用紙を固定する場合、把持部を持ち上げる操作とメモ用紙を差し込む操作とが必要となり、操作が面倒となるとともに両手を用いて操作する必要性が生じる。
【０００６】
本考案は、上記課題に鑑みなされたもので、簡単な構成で、メモ用紙、名刺やカード等のシートを容易に差し込み、抜き取ることが可能なシートホルダーを提供することを目的とする。
【課題を解決するための手段】
【０００７】
請求項１に記載のシートホルダーは、複数巻回されたコイル状のばね材により構成されるシートホルダーであって、前記ばね材の巻回方向に所定の周期で交互に形成された山部及び谷部と、隣接するコイル部における前記山部と谷部とが相互に対向して形成される挟持部及び離間部とを具備することを特徴とする。
ばね材は、所定の弾性を有していればよく、金属材料や合成樹脂等の非金属材料を用いることができる。格別材料が限定されるものではない。
また、山部及び谷部を形成する形状も特定のものに限定されるものではなく、いわゆる波状や矩形波状等の形状が適用可能である。
さらに、ばね材の巻回数も格別特定の数に限定されるものではない。適宜選定することができる。
かかる考案によれば、簡単な構成で、メモ用紙、名刺やカード等のシートを容易に差し込み、抜き取ることが可能となる。
【０００８】
請求項２に記載のシートホルダーは、請求項１に記載のシートホルダーにおいて、一端側にベース部が形成され、このベース部に対してホルダー部が傾斜して形成されていることを特徴とする。
請求項３に記載のシートホルダーは、請求項１又は請求項２に記載のシートホルダーにおいて、一端側に取付用の磁石が設けられていることを特徴とする。
【０００９】
請求項４に記載のシートホルダーは、請求項１乃至請求項３のいずれか一に記載のシートホルダーにおいて、コイル状のばね材における一端側のコイル部は平坦状に形成されていることを特徴とする。
【考案の効果】
【００１０】
本考案によれば、簡単な構成で、メモ用紙、名刺やカード等のシートを容易に差し込み、抜き取ることが可能なシートホルダーを提供することができる。
【図面の簡単な説明】
【００１１】
【図１】本考案の第１の実施形態に係るシートホルダーを示す斜視図である。
【図２】同シートホルダーを示し、（ａ）は平面図、（ｂ）は正面図、（ｃ）は底面図である。
【図３】図１中、Ｘ−Ｘ線に沿う断面図である。
【図４】同シートホルダーの使用状態を示す斜視図である。
【図５】同シートホルダーの変形例における使用状態を示す斜視図である。
【図６】本考案の第２の実施形態に係るシートホルダーを示す斜視図である。
【図７】同シートホルダーを示す側面図である。
【図８】同シートホルダーの使用状態において、シートの差し込み過程を示す斜視図である。
【図９】同シートホルダーの使用状態において、シートが保持されている状態を示す斜視図である。
【図１０】同シートホルダーの使用状態において、複数のシートが保持されている状態を示す斜視図である。
【図１１】本考案の第３の実施形態に係るシートホルダーを示す斜視図である。
【図１２】同シートホルダーを示す正面図である。
【図１３】同シートホルダーの使用状態を示す斜視図である。
【考案を実施するための形態】
【００１２】
以下、本考案の第１の実施形態について図１乃至図５を参照して説明する。図１は、シートホルダーを示す斜視図であり、図２は、シートホルダーを示す平面図、正面図及び底面図であり、図３は、シートホルダーを示す断面図である。また、図４は、シートホルダーの使用状態を示し、名刺を保持した状態を示している。さらに、図５は、シートホルダーの変形例の使用状態を示している。
【００１３】
図１乃至図３に示すようにシートホルダー１は、帯状のばね材２をコイル状に複数巻回して構成されている。具体的には、ばね材２が８ターンされて、すなわち、８回巻回されて全体的には円筒状をなしている。
【００１４】
ばね材２には、例えば、弾性を有する金属材料のステンレス鋼等が用いることが好ましいが、所定の弾性を確保できれば、合成樹脂等の非金属材料を用いてもよい。
【００１５】
また、ばね材２には、巻回方向に沿って所定の周期で交互に山部２１と谷部２２とが形成されている。この山部２１及び谷部２２は、連続してなだらかに湾曲するように波状に形成されている。
【００１６】
さらに、山部２１及び谷部２２は、隣接するコイル部、つまり、複数巻回の重なり方向に隣接するコイル部において対向しており、この山部２１と谷部２２とが対向することにより、挟持部３及び離間部４が形成されるようになっている。
【００１７】
より詳しくは、図２（ｂ）に示すように例えば、１つのコイル部Ｃ1と隣接するコイル部Ｃ2（図示上、上側）とにおいて、コイル部Ｃ1の山部２１Ｃ1とコイル部Ｃ2の谷部２２Ｃ2とが対向して挟持部３が形成され、コイル部Ｃ1の谷部２２Ｃ1とコイル部Ｃ2の山部２１Ｃ2とが対向して離間部４が形成される。
【００１８】
また、コイル部Ｃ1と隣接するコイル部Ｃ3（図示上、下側）とにおいて、コイル部Ｃ1の山部２１Ｃ1とコイル部Ｃ3の谷部２２Ｃ3とが対向して離間部４が形成され、コイル部Ｃ1の谷部２２Ｃ1とコイル部Ｃ3の山部２１Ｃ3とが対向して挟持部３が形成される。
挟持部３は、隣接するコイル部が弾性接触する部分であり、離間部４は、隣接するコイル部が開口するように離間する部分である。
次に、シートホルダー１の使用状態について図４を参照して説明する。シートホルダー１には、シートとして名刺Ｓが保持された状態が示されている。
【００１９】
例えば、机上に載置されたシートホルダー１に名刺Ｓを保持する場合、まず、名刺Ｓをシートホルダー１の円筒状の外周側から差し込むようにする。これにより、名刺Ｓは、離間部４に案内されて通過し、挟持部３に弾性的に挟まれてシートホルダー１の半径方向に差し込まれ保持される。また、シートホルダー１は、コイル状に巻回されているので、名刺Ｓの半径方向への差し込み移動が進むと、名刺Ｓの端辺Ｓｅがコイルのターン部に衝突し、それ以上の名刺Ｓの移動は阻止され、名刺Ｓは所定の位置に保持されるようになる。
さらに、保持された名刺Ｓを使用する場合には、シートホルダー１から容易に抜き取ることができる。
【００２０】
なお、シートホルダー１の一端側のコイル部、すなわち、机上への載置部となるコイル部は、波状に形成せずに平坦状としたり、錘となる重量物を設けたりするのが好ましい。これによりシートホルダー１の載置状態を安定化することが可能となる。
【００２１】
このような構成によれば、簡単な構成により、名刺Ｓ、メモ用紙、カード、領収書やポイントカード等のシートの差し込み、抜き取りを容易に行うことができる。また、複数のシートを保持することも可能であり、この場合、ばね材２の巻回数を増やすことにより、より多数のシートを保持することができる。
【００２２】
さらに、シートホルダー１の全周側からシートを差し込むことができ、シートを差し込む方向の制約を少なくすることが可能となる。さらにまた、複数のシートを保持する場合、各シートの位置をずらせて保持することにより、各シートの一部を視認することができ、シートの識別が可能となる。
【００２３】
加えて、巻回方向に沿う山部２１と谷部２２との形成は、コイル状のばね材２の成形時に行うことが可能であり、このため、山部２１と谷部２２との形成及びシートの厚さに応じた寸法の設定が容易となる効果が期待できる。
【００２４】
なお、本実施形態の変形例について図５を参照して説明する。図５は、シートホルダーの使用状態を示している。上記のシートホルダーと同一又は相当部分には同一符号を付し重複する説明は省略する。
【００２５】
本例においては、シートホルダー１を小形化し、手帳Ｎ等に取付けて使用できるようにしたものである。例えば、手帳Ｎの表紙の部分にシートホルダー１の一端側を差し込んで表紙の部分に挟持するように取付ける。
【００２６】
このようにシートホルダー１が取付けられた状態において、シートホルダー１の外周側から名刺Ｓを差し込むことにより、名刺Ｓは、挟持部３（図示を省略）に挟まれて保持される。したがって、本例のような構成によりシートホルダー１の多様な適用が可能となる。
【００２７】
以上のように本実施形態によれば、簡単な構成により、シート（名刺Ｓ等）の差し込み、抜き取りを容易に行うことができるシートホルダー１を提供することが可能となる。
【００２８】
次に、本考案の第２の実施形態について図６乃至図１０を参照して説明する。図６は、シートホルダーを示す斜視図であり、図７は、シートホルダーを示す側面図であり、図８乃至図１０は、シートホルダーの使用状態を示している。なお、第１の実施形態と同一又は相当部分には同一符号を付し重複する説明は省略する。
本実施形態は、基本的な構成は第１の実施形態と略同様であるが、シートホルダー１が傾斜状に形成されているものである。
【００２９】
図６及び図７に示すようにシートホルダー１は、ベース部１１とホルダー部１２とを備えている。ベース部１１は、例えば、机上に載置される載置部となるものであり、シートホルダー１の一端側のコイル部によって形成されている。このベース部１１は、平坦状に形成されていて、シートホルダー１の載置状態を安定化する機能を有している。
なお、このベース部１１を形成する一端側のコイル部は、１巻回分に限らず、例えば、２巻回分の複数巻回分によって構成してもよい。
【００３０】
ホルダー部１２は、シートを保持する部分であり、略水平状のベース部１１に対し、所定角度傾斜して形成されている。具体的には、帯状のばね材２が５回巻回されて円筒状に形成されているとともに、ベース部１１に対し好ましくは４０°〜７０°の範囲で傾斜して形成されている。なお、このばね材２の巻回数や傾斜角度は格別限定されるものではない。
このように構成されたシートホルダー１の使用状態について図８乃至図１０を参照して説明する。
【００３１】
図８及び図９において、まず、図８に示すように、シートとしての名刺Ｓをホルダー部１２の円筒状の外周側から差し込む。これにより、名刺Ｓは、図７を併せて参照するように離間部４に案内されて通過し、挟持部３に挟まれてホルダー部１２の半径方向に差し込まれ保持される（図９参照）。
【００３２】
この場合、ホルダー部１２は、ベース部１１に対して傾斜しているので、名刺Ｓを差し込むとき、名刺Ｓを差し込む方向に作用する一部の力は、ベース部１１を机上に押し付ける方向に働き、シートホルダー１の安定した載置状態を確保することが可能となる。
さらに、ホルダー部１２が傾斜していることにより、名刺Ｓが保持された状態で、名刺Ｓが視認しやすいという効果を奏することができる。
【００３３】
続いて、図１０においては、写真等を含めた各種シートＳの位置をずらせて保持する場合を示しており、このような使用状態によれば、各種シートＳの一部を視認することができ、シートＳの識別が容易となり、使用時に識別して抜き取ることを簡単に行うことが可能となる。
【００３４】
以上のように本実施形態によれば、第１の実施形態と同様な効果に加え、ホルダー部１２が傾斜していることにより、シートホルダー１の安定した載置状態を確保することができるとともに、シートが保持された状態で、シートが視認しやすいという効果を奏することができる。
【００３５】
次に、本考案の第３の実施形態について図１１乃至図１３を参照して説明する。図１１は、シートホルダーを示す斜視図であり、図１２は、シートホルダーを示す正面図であり、図１３は、シートホルダーの使用状態を示している。なお、第１の実施形態と同一又は相当部分には同一符号を付し重複する説明は省略する。
本実施形態は、第１の実施形態と基本的に同様な構成である。異なる点は、シートホルダー１の一端側に取付用の磁石５が設けられている点である。
図１１及び図１２に示すようにシートホルダー１の一端側の内周に磁石５が設けられている。この磁石５は、中実体で略短円筒形状に形成されている。
【００３６】
したがって、シートホルダー１を机上等に載置するだけではなく、磁石５によって鉄板等に吸着することができ、安定して設置することが可能となり、また、シートホルダー１の適用範囲も広範なものとすることができる。
【００３７】
図１３は、使用状態の一例として、冷蔵庫Ｒの扉にシートホルダー１を吸着させて取付けた状態を示している。このように冷蔵庫Ｒの扉にシートホルダー１を取付けることにより、メモ用紙や案内書類Ｓ等をシートホルダー１に保持することができる。また、不要になったメモ用紙等は容易に抜き取ることができる。
なお、シートホルダー１の一端側のコイル部は、波状に形成せずに平坦状に形成してもよい。
【００３８】
以上のように本実施形態によれば、第１の実施形態と同様な効果に加え、シートホルダー１を安定して設置することができるとともに、適用範囲を拡大することが可能となる。
【００３９】
なお、本考案は、上記各実施形態の構成に限定されることなく、考案の要旨を逸脱しない範囲で種々の変形が可能である。また、上記実施形態は、一例として提示したものであり、考案の範囲を限定することは意図していない。
【００４０】
例えば、ばね材は、帯状に限らず、線状のものを用いてもよい。また、山部及び谷部は、湾曲する波状の形状に限らず、矩形波状の形状によって形成してもよく、格別形状が限定されるものではない。
さらに、シートホルダーの大きさやばね材の巻回数も格別特定の大きさや巻回数に限定されるものではなく、適宜選定することができる。
【００４１】
さらにまた、シートホルダーは、机上に限らず、自動車のダッシュボード等に設置して使用するようにしてもよく、その使用場所が限定されるものではない。また、適用されるシートの一例としては、メモ用紙、名刺、カード、封筒、領収書、伝票等の紙葉類や写真、ポイントカード等が挙げられる。比較的厚さ寸法が小さいシート状のものであれば、制約なく適用することができる。
【符号の説明】
【００４２】
１・・・シートホルダー
２・・・ばね材
３・・・挟持部
４・・・離間部
５・・・磁石
１１・・・ベース部
１２・・・ホルダー部
２１・・・山部
２２・・・谷部
Ｓ・・・シート（名刺等）
【図１】
0003184614.tif 000003
【図２】
0003184614.tif 000004
【図３】
0003184614.tif 000005
【図４】
0003184614.tif 000006
【図５】
0003184614.tif 000007
【図６】
0003184614.tif 000008
【図７】
0003184614.tif 000009
【図８】
0003184614.tif 000010
【図９】
0003184614.tif 000011
【図１０】
0003184614.tif 000012
【図１１】
0003184614.tif 000013
【図１２】
0003184614.tif 000014
【図１３】
0003184614.tif 000015